(57)【要約】【課題】画像にプリント注文情報を設定することが可能なデジタルカメラにおいて、プリント注文情報設定時の使い勝手を向上させること。【解決手段】  表示部３を含むデジタルカメラ１００は、プリント注文情報設定モードを有し、プリント注文情報設定モード時、プリント注文情報設定用画面とプリント注文情報の設定対象となる画像とを、表示部３に分割表示させる制御を行う制御部１０を備える。【選択図】  図２
2006033666.tif 000002
【特許請求の範囲】
【請求項１】
表示部を含むデジタルカメラであって、
プリント注文情報設定モードを有し、
前記プリント注文情報設定モード時、プリント注文情報設定用画面と前記プリント注文情報の設定対象となる画像とを、前記表示部に分割表示させる制御を行う表示制御手段を備えるデジタルカメラ。
【請求項２】
請求項１記載のデジタルカメラであって、
前記プリント注文情報設定用画面にしたがって行われる前記画像に対するプリント注文情報設定指示に応じて、前記画像のプリント注文情報を生成するプリント注文情報生成手段と、
前記プリント注文情報の内容を確定するための確定指示に応じて、前記プリント注文情報を前記画像の画像データに対応付けて記録する記録手段とを備えるデジタルカメラ。
【請求項３】
請求項２記載のデジタルカメラであって、
画像切り替え指示に応じて前記プリント注文情報の設定対象となる画像を切り替える画像切り替え手段を備えるデジタルカメラ。
【請求項４】
請求項３記載のデジタルカメラであって、
前記記録手段は、前記プリント注文情報が生成されて以降、前記画像切り替え指示に応じて切り替え後の画像に対する前記プリント注文情報設定指示がなされずに前記確定指示が行われた場合、前記プリント注文情報生成手段によって生成された最新の前記プリント注文情報を前記切り替え後の画像の画像データに対応付けて記録するデジタルカメラ。
【請求項５】
請求項３又は４記載のデジタルカメラであって、
前記プリント注文情報設定モード時に前記画像切り替え指示を行うための専用となる第１のキー部及び前記プリント注文情報設定指示を行うための専用となる第２のキー部を含む十字キーと、
前記プリント注文情報設定モード時に前記プリント注文情報設定指示及び前記確定指示を行うための専用となるボタンとを備えるデジタルカメラ。
【発明の詳細な説明】
【技術分野】
【０００１】
本発明は、画像に対するプリント注文情報の設定が可能なデジタルカメラに関する。
【背景技術】
【０００２】
デジタルカメラ用の画像データの記録フォーマットとして、ＤＰＯＦ（Digital Print Order Format）が知られている。ＤＰＯＦ対応のデジタルカメラでは、ＬＣＤ画面等で画像を確認してから、その画像に対するプリントサイズ、プリント枚数、及びプリント種別等のプリント注文を行うためのプリント注文情報（以下、ＤＰＯＦ情報とも言う）の設定が可能である。
【０００３】
従来からあるＤＰＯＦ対応のデジタルカメラでは、ユーザがデジタルカメラを再生モードに設定してプリントしたい画像を選択後、ＤＰＯＦ情報設定モードに設定すると、ユーザにより選択された画像を背景にしてＤＰＯＦ情報設定用画面が重ねて表示される。そして、ユーザがＤＰＯＦ情報設定用画面にしたがってＤＰＯＦ情報の設定を行うと、設定されたＤＰＯＦ情報がユーザにより選択された画像の画像データに対応付けて記録メディアに記録されてＤＰＯＦ情報設定モードが終了し、再生モードに戻る。このように、ＤＰＯＦ対応のデジタルカメラにおいて、ユーザは、プリントしたい画像の選択、ＤＰＯＦ情報設定モードの設定、ＤＰＯＦ情報の設定という操作を繰り返すことで、画像に対してＤＰＯＦ情報を設定することができる。
【０００４】
ＤＰＯＦ対応のデジタルカメラに関する文献として、特許文献１記載のものがある。
【０００５】
【特許文献１】特開２０００−２９５５６２号公報
【発明の開示】
【発明が解決しようとする課題】
【０００６】
従来のデジタルカメラでは、プリントしたい画像毎に、画像の選択、ＤＰＯＦ情報設定モードの設定、ＤＰＯＦ情報の設定という操作を繰り返す必要があるため、ＤＰＯＦ情報の設定が面倒であるという問題点がある。又、従来のデジタルカメラでは、プリントしたい画像にＤＰＯＦ情報設定用画面が重ねて表示されるため、プリントしたい画像が見づらくなってしまうという問題点がある。例えば、ある画像に対し、その画像に写っている人の数分のプリントを注文したい場合、その画像を見ながらプリント枚数を指定できれば利便性は高いが、従来のデジタルカメラではこのような利便性は期待できない。
【０００７】
本発明は、上記事情に鑑みてなされたものであり、画像に対するプリント注文情報の設定が可能なデジタルカメラにおいて、プリント注文情報設定時の使い勝手を向上させることを目的とする。
【課題を解決するための手段】
【０００８】
本発明のデジタルカメラは、表示部を含むデジタルカメラであって、プリント注文情報設定モードを有し、前記プリント注文情報設定モード時、プリント注文情報設定用画面と前記プリント注文情報の設定対象となる画像とを、前記表示部に分割表示させる制御を行う表示制御手段を備える。
【０００９】
この構成により、画像に対してプリント注文情報を設定する際の使い勝手を向上させることができる。
【００１０】
本発明のデジタルカメラは、前記プリント注文情報設定用画面にしたがって行われる前記画像に対するプリント注文情報設定指示に応じて、前記画像のプリント注文情報を生成するプリント注文情報生成手段と、前記プリント注文情報の内容を確定するための確定指示に応じて、前記プリント注文情報を前記画像の画像データに対応付けて記録する記録手段とを備える。
【００１１】
この構成により、画像に対してプリント注文情報を設定する際の使い勝手を向上させることができる。
【００１２】
本発明のデジタルカメラは、画像切り替え指示に応じて前記プリント注文情報の設定対象となる画像を切り替える画像切り替え手段を備える。
【００１３】
この構成により、画像に対してプリント注文情報を設定する際の使い勝手を向上させることができる。
【００１４】
本発明のデジタルカメラは、前記記録手段が、前記プリント注文情報が生成されて以降、前記画像切り替え指示に応じて切り替え後の画像に対する前記プリント注文情報設定指示がなされずに前記確定指示が行われた場合、前記プリント注文情報生成手段によって生成された最新の前記プリント注文情報を前記切り替え後の画像の画像データに対応付けて記録する。
【００１５】
この構成により、画像に対してプリント注文情報を設定する際の使い勝手を向上させることができる。
【００１６】
本発明のデジタルカメラは、前記プリント注文情報設定モード時に前記画像切り替え指示を行うための専用となる第１のキー部及び前記プリント注文情報設定指示を行うための専用となる第２のキー部を含む十字キーと、前記プリント注文情報設定モード時に前記プリント注文情報設定指示及び前記確定指示を行うための専用となるボタンとを備える。
【００１７】
この構成により、画像に対してプリント注文情報を設定する際の使い勝手を向上させることができる。
【発明の効果】
【００１８】
本発明によれば、画像に対するプリント注文情報の設定が可能なデジタルカメラにおいて、プリント注文情報設定時の使い勝手を向上させることができる。
【発明を実施するための最良の形態】
【００１９】
以下、本発明の実施形態について図面を参照して説明する。
図１は、本発明の実施形態を説明するためのデジタルカメラの概略外観構成を示す斜視図である。図２は、図１に示すデジタルカメラの内部構成を示す図である。
図１に示すように、デジタルカメラ１００は、大きく分けてカメラ本体１とレンズ鏡筒２とから構成される。カメラ本体１には、表示部３と、十字キー４と、メニュー／決定ボタン５と、レリーズボタン６とが設けられている。又、図２に示すように、デジタルカメラ１００は、表示部３と、レンズ鏡筒２を含む撮像部８と、画像データ記録部９と、制御部１０と、ＲＯＭ１１と、十字キー４、メニュー／決定ボタン５、レリーズボタン６を含む操作部１２とを備える。
【００２０】
表示部３は、例えばＬＣＤ表示装置を含んで構成され、撮像部８で撮影して得られた画像データに基づく画像や、画像データ記録部９に記録されている画像データに基づく画像の表示を行う。又、撮影時のスルー画像、デジタルカメラ１００の各種状態、操作に関する情報の表示等も可能である。表示部３は、長方形形状の表示面を有しており、この表示面は、例えば、長辺が短辺の３倍の長さとなっている。
【００２１】
撮像部８は、撮影レンズ等の光学系を内蔵するレンズ鏡筒２及びＣＣＤイメージセンサ等の撮像素子によって被写体の撮影を行うものであり、撮影して得られる画像データを制御部１０に入力する。
【００２２】
画像データ記録部９は、撮像部８で撮影して得られ画像処理を施された画像データを記録する記録媒体であり、例えばＲＡＭやメモリカード等である。画像データ記録部９には、ＤＰＯＦ規格の記録形式に従って画像データが記録される。つまり、ここに記録される画像データには、画像データ本体と、その画像データ本体に対応付けられたＤＰＯＦ情報とが含まれている。
【００２３】
ＲＯＭ１１は、制御部１０が実行するプログラムやデジタルカメラ１００の動作に必要な各種データを記憶するものである。ＲＯＭ１１には、撮影動作等のデジタルカメラ１００の一般的な機能を実現するためのプログラムと、画像データ記録部９に記録されている画像データに基づく画像に対するＤＰＯＦ情報の設定を行うためのＧＵＩアプリケーションとが少なくとも記憶されている。
【００２４】
操作部１２は、デジタルカメラ１００の各種操作を行うための操作部材からなり、操作部１２が操作されることにより、その操作に応じた指示が制御部１０に入力される。操作部１２に含まれる十字キー４は、各種選択操作を行うためのものであり、左右キー４ａと上下キー４ｂとから構成されている。操作部１２に含まれるメニュー／決定ボタン５は、各種メニュー（再生モード、撮影モード、ＤＰＯＦ情報設定モード等）の表示や決定操作を行うためのボタンである。
【００２５】
制御部１０は、ＲＯＭ１１に記憶されたプログラムによって動作するプロセッサを主体に構成され、デジタルカメラ１００全体を統括制御する。
【００２６】
以下、デジタルカメラ１００がＤＰＯＦ情報設定モードに設定されたときの動作について説明する。
図３は、本発明の実施形態を説明するためのデジタルカメラのＤＰＯＦ情報設定モード時の動作フローを示す図である。図４及び５は、本発明の実施形態を説明するためのデジタルカメラのＤＰＯＦ情報設定モード時に表示部に表示される画面例を示す図である。
ユーザによりメニュー／決定ボタン５が押下されると、各種メニューが表示部３に表示される。ユーザは、十字キー４を操作して、表示されたメニューの中からＤＰＯＦ情報設定モードを選択し、メニュー／決定ボタン５を押下する。これにより、デジタルカメラ１００がＤＰＯＦ情報設定モードに設定される。デジタルカメラ１００がＤＰＯＦ情報設定モードに設定されると、制御部１０は、ＧＵＩアプリケーションを実行し、以下のように動作する。尚、ＤＰＯＦ情報設定モード時、十字キー４の左右キー４ａは、ＤＰＯＦ情報の設定対象となる画像の切り替え指示を行うための専用キーになり、十字キー４の上下キー４ｂ及びメニュー／決定ボタン５は、ＤＰＯＦ情報の設定対象となる画像に対するＤＰＯＦ情報の設定指示及びＤＰＯＦ情報の設定内容を確定するための確定指示を行うための専用キーになる。
【００２７】
デジタルカメラ１００がＤＰＯＦ情報設定モードに設定されると、制御部１０は、画像データ記録部９に記録されている画像データのうち、例えば、メモリの先頭に記録されている画像データａを読み出す。そして、制御部１０は、画像データａに基づく画像Ａ（これがＤＰＯＦ情報の設定対象となる画像となる）と、ＤＰＯＦ情報の設定対象となる画像（画像Ａ）に対してＤＰＯＦ情報の設定を行うためのＤＰＯＦ情報設定用画面とを表示部３において分割表示させる（Ｓ３０１）。このとき表示部３には、図４（ａ）に示すような画面が表示される。図４（ａ）に示すように、表示部３の表示面の右半分には画像Ａが表示され、左半分にはＤＰＯＦ情報設定用画面が表示される。
【００２８】
ＤＰＯＦ情報設定用画面には、「標準プリント」、「分割プリント」、「一覧プリント」等のプリント種別を設定するための３つのアイコンが表示されており、ユーザが上下キー４ｂを操作して、所望のプリント種別のアイコン上にカーソル４０を移動させ、決定ボタン６を押下することにより、表示部３の表示面の右半分に表示されている画像に対するプリント種別を設定することができるようになっている。ＤＰＯＦ情報設定用画面上のカーソル４０は、例えば、上キー４ｂを押下する毎に、「標準プリント」、「分割プリント」、「一覧プリント」の順に各アイコン上を移動する。下キー４ｂを押下した場合には、例えば、上キー４ｂを押下した場合と逆順にカーソル４０が移動する。
【００２９】
「標準プリント」とは、印刷媒体上にその印刷媒体のサイズに合わせて画像をプリントする方法である。「分割プリント」とは、印刷媒体を分割し、各分割領域に同じ画像をプリントする方法である。「一覧プリント」とは、印刷媒体を分割し、各分割領域にそれぞれ異なる画像をプリントする方法である。
【００３０】
図４（ａ）の状態からユーザが右キー４ａを押下して、ＤＰＯＦ情報の設定対象となる画像の切り替え指示を行った場合（Ｓ３０２：ＹＥＳ）、制御部１０は、この切り替え指示に応じて、画像データ記録部９から画像データａの次に記録されている画像データｂを読み出し、読み出した画像データｂに基づく画像Ｂを表示部３の右半分に表示させて、ＤＰＯＦ情報の設定対象となる画像を画像Ａから画像Ｂに切り替える（Ｓ３０３）。このとき表示部３には、図４（ｂ）に示すような画面が表示される。図４（ｂ）に示すように、表示部３の表示面の右半分には画像Ｂが表示され、左半分は図４（ａ）の状態から変化しない。制御部１０は、例えば、右キー４ａが押下される度に、画像データ記録部９に記録されている画像データに基づく画像を、その画像データの記録順に表示部３の右半分に表示させる制御を行う。又、左キー４ａが押下された場合には、画像データの記録順とは逆順に画像データに基づく画像を切り替え表示させる制御を行う。
【００３１】
尚、Ｓ３０１において、表示部３の表示面の右半分には、画像データ記録部９に記録されている画像データに基づく画像のサムネイル画像の一覧を表示させても良い。この場合は、制御部１０が、表示部３の表示面の右半分にカーソルを表示させておく。そして、ユーザが、左右キー４ａを操作してＤＰＯＦ情報の設定を行いたいサムネイル画像上にカーソルを移動させることで、ＤＰＯＦ情報の設定対象となる画像を切り替えることができるようにすれば良い。
【００３２】
ＤＰＯＦ情報の設定対象となる画像ＢとＤＰＯＦ情報設定用画面とが表示部３に表示された図４（ｂ）の画面にしたがって、ユーザが上下キー４ｂ及びメニュー／決定ボタン５の操作をして画像Ｂに対するＤＰＯＦ情報（例えば、プリント種別情報やプリント枚数情報）の設定指示を行った場合（Ｓ３０４：ＹＥＳ）、制御部１０は、この設定指示に応じてＤＰＯＦ情報を生成する（Ｓ３０５）。
【００３３】
ここで、Ｓ３０４及びＳ３０５の動作について具体的に説明する。
まず、ユーザは、図４（ｂ）に示す画面の状態から上下キー４ｂを操作して、所望のプリント種別（ここでは標準プリントとする）のアイコン上にカーソル４０を移動させてメニュー／決定ボタン５を押下する。ユーザは、このようにして、ＤＰＯＦ情報設定用画面にしたがって上下キー４ｂ及びメニュー／決定ボタン５を操作して、画像Ｂに対するプリント種別の設定指示を行う。制御部１０は、この設定指示に応じて、画像Ｂに設定されたプリント種別が標準プリントであることを示すプリント種別情報を生成する。
【００３４】
ユーザによりプリント種別が設定されると、制御部１０は、ＤＰＯＦ情報設定用画面を図４（ｃ）に示すようなプリント枚数の設定画面に遷移させる。図４（ｃ）に示す画面上には、現在設定されているプリント種別を示す「標準プリント」アイコンと、現在設定されているプリント枚数を示す「枚数」の文字と、プリント枚数の減少を設定するための「減」アイコンと、プリント枚数の増加を設定するための「増」アイコンと、プリント枚数を確定するための「確定」アイコンとが表示される。プリント枚数の設定画面上にはカーソル４１が表示され、このカーソル４１は、例えば、上キー４ｂを押下する毎に、「減」、「増」、「確定」の順に各アイコン上を移動する。又、下キー４ｂを押下した場合には、例えば、上キー４ｂを押下した場合と逆順にカーソル４１が移動する。
【００３５】
ユーザは、プリント枚数を２枚にしたい場合、上下キー４ｂを操作して、「増」のアイコン上にカーソル４１を移動させてメニュー／決定ボタン５を２回押下する。「増」アイコン上でメニュー／決定ボタン５が１回押下される毎に、プリント枚数の設定画面上の「枚数」の表示は１枚ずつ増加し、プリント枚数が設定される。プリント枚数を設定した後、ユーザは、上下キー４ｂを操作して「確定」アイコン上にカーソル４１を移動させ、メニュー／決定ボタン５を押下する。ユーザは、このようにして、プリント枚数の設定画面にしたがって上下キー４ｂ及びメニュー／決定ボタン５を操作して、画像Ｂに対するプリント枚数の設定指示を行う。制御部１０は、この設定指示に応じて、画像Ｂに設定されたプリント枚数が２枚であることを示すプリント枚数情報を生成する。
【００３６】
制御部１０は、プリント枚数情報生成後、ＤＰＯＦ情報設定用画面を図４（ｄ）に示すようなＤＰＯＦ情報の確認画面に遷移させる。図４（ｄ）に示す画面上には、現在設定されているプリント種別を示す「標準プリント」アイコンと、現在設定されているプリント枚数を示す「枚数２」アイコンと、ＤＰＯＦ情報の設定内容を変更するための「変更」アイコンと、ＤＰＯＦ情報の設定内容を確定するための「確定」アイコンとが表示される。  ＤＰＯＦ情報の確認画面上にはカーソル４２が表示され、このカーソル４２は、例えば、上キー４ｂを押下する毎に、「変更」、「確定」の順に各アイコン上を移動する。又、下キー４ｂを押下した場合には、例えば、上キー４ｂを押下した場合と逆順にカーソル４２が移動する。
【００３７】
図３に戻り、ユーザが、図４（ｄ）に示す画面にしたがって「変更」アイコン上にカーソル４２を移動させてメニュー／決定ボタン５を押下すると、ＤＰＯＦ情報の変更指示が制御部１０に入力される（Ｓ３０６：変更指示）。変更指示を受けた制御部１０は、ＤＰＯＦ情報設定用画面を図４（ｂ）の状態に戻し、ユーザによって再び行われるＤＰＯＦ情報の設定指示に応じて、再度、ＤＰＯＦ情報を生成する。
【００３８】
一方、ユーザが、「確定」アイコン上にカーソル４２を移動させてメニュー／決定ボタン５を押下すると、ＤＰＯＦ情報の設定内容を確定するための確定指示が制御部１０に入力される（Ｓ３０６：確定指示）。確定指示を受けた制御部１０は、Ｓ３０５で生成したＤＰＯＦ情報を、ＤＰＯＦ情報の設定対象である画像Ｂの画像データｂに対応付けて画像データ記録部９に記録する（Ｓ３０７）。尚、制御部１０は、プリント枚数情報を生成した時点で、確認画面を表示させずに、ＤＰＯＦ情報を記録するようにしても良い。つまり、制御部１０は、ユーザが図４（ｃ）に示す画面上で「確定」アイコン上にカーソル４１を移動させ、メニュー／決定ボタン５を押下した時点を、ＤＰＯＦ情報の確定指示と認識して処理を行っても良い。
【００３９】
ＤＰＯＦ情報の記録後、制御部１０は、ＤＰＯＦ情報の確認画面を図５（ｅ）に示すような画面に遷移させる。図５（ｅ）に示す画面上には、「標準プリント」アイコンと、「枚数２」アイコンと、「変更」アイコンと、「確定」アイコンと、ＤＰＯＦ情報設定モードを終了するための「終了」アイコンとが表示される。ＤＰＯＦ情報の確認画面上にはカーソル４３が表示され、このカーソル４３は、例えば、上キー４ｂを押下する毎に、「変更」、「確定」、「終了」の順に各アイコン上を移動する。又、下キー４ｂを押下した場合には、例えば、上キー４ｂを押下した場合と逆順にカーソル４２が移動する。
【００４０】
図５（ｅ）に示す画面に遷移後、ユーザが、図５（ｅ）に示す画面にしたがって「終了」アイコン上にカーソル４３を移動させてメニュー／決定ボタン５を押下すると、ＤＰＯＦ情報設定モードの終了指示が制御部１０に入力される（Ｓ３０８：終了指示）。終了指示を受けた制御部１０は、この終了指示に応じて、表示部３の左半分に図５（ｆ）に示すような画面を表示させた後、ＧＵＩアプリケーションを終了させる。
【００４１】
一方、図５（ｅ）に示す画面に遷移後、ユーザによって左右キー４ａが操作され、ＤＰＯＦ情報の設定対象となる画像の切り替え指示が制御部１０に入力されると（Ｓ３０８：切り替え指示）、制御部１０は、この切り替え指示に応じて、画像データ記録部９から画像データｂの次に記録されている画像データｃを読み出し、読み出した画像データｃに基づく画像Ｃを表示部３の右半分に表示させて、ＤＰＯＦ情報の設定対象となる画像を画像Ｂから画像Ｃに切り替える（Ｓ３０９）。このとき表示部３には、図５（ｇ）に示すような画面が表示される。図５（ｇ）に示すように、表示部３の表示面の右半分には画像Ｃが表示され、左半分には図５（ｅ）に示した画面が表示されたままとなる。その後、制御部１０は、Ｓ３０６へと処理を移行し、図５（ｇ）に示す画面上で変更指示及び終了指示がなされずに確定指示がなされた場合には、Ｓ３０５で画像Ｂに対して生成したＤＰＯＦ情報（最新のＤＰＯＦ情報）をそのまま利用し、このＤＰＯＦ情報を画像Ｃの画像データｃに対応付けて記録する。一方、図５（ｇ）に示す画面上で変更指示がなされた場合、制御部１０は、図５（ｇ）に示す画面を図５（ｈ）に示すような画面に遷移させ、ユーザからの指示に応じて新たにＤＰＯＦ情報を生成する。
【００４２】
以上のようにデジタルカメラ１００によれば、ＤＰＯＦ情報設定モードに設定されると、表示部３には、ＤＰＯＦ情報設定用画面（図４（ｃ），（ｄ）及び図５（ｅ），（ｇ）の画面の左半分に表示される画面も含む）とＤＰＯＦ情報の設定対象となる画像とが分割表示される。このため、ユーザは、ＤＰＯＦ情報の設定対象となる画像を確認しながら、その画像に対するＤＰＯＦ情報の設定を行うことができる。したがって、画像にＤＰＯＦ情報を設定する際のデジタルカメラの使い勝手を向上させることができる。
【００４３】
又、デジタルカメラ１００によれば、ＤＰＯＦ情報設定モード時には、ＤＰＯＦ情報の設定対象となる画像を切り替えた場合でも、表示部３には、ＤＰＯＦ情報設定用画面が常に表示されたままである。このため、従来のように、ＤＰＯＦ情報の設定対象となる画像を切り替えた場合に、再度、ＤＰＯＦ情報設定モードに設定してＤＰＯＦ情報設定用画面を表示させ、ＤＰＯＦ情報の設定を行うといった面倒な操作を不要とすることができる。
【００４４】
又、デジタルカメラ１００によれば、左右キー４ａを操作することで、ＤＰＯＦ情報の設定対象となる画像を切り替えることができ、上下キー４ｂ及びメニュー／決定ボタン５を操作することで、ＤＰＯＦ情報の設定対象となる画像に対するＤＰＯＦ情報の設定を行うことができる。このように、表示部３の右半分に表示される画像の切り替えは左右キー４ａ、左半分に表示されるＤＰＯＦ情報設定画面にしたがった操作は上下キー４ｂ及びメニュー／決定ボタン５といった具合に、十字キー４及びメニュー／決定ボタン５の役割を決めてあるため、画像の切り替え操作とＤＰＯＦ情報の設定操作とを、特別な切り替え操作を行うことなくスムーズに切り替えることができ、使い勝手が向上する。
【００４５】
又、デジタルカメラ１００によれば、制御部１０がＤＰＯＦ情報を一度生成した後に、ユーザによりＤＰＯＦ情報の設定対象となる画像が切り替えられ、その画像に対するＤＰＯＦ情報設定指示がなされず、確定指示のみがなされた場合、制御部１０は、既に生成している最新のＤＰＯＦ情報を、その画像に対するＤＰＯＦ情報として記録する。このため、複数の画像について全て同じ条件でプリントを注文したいような場合でも、ユーザは、複数の画像のそれぞれについてプリント種別の設定指示やプリント枚数の設定指示を行ってＤＰＯＦ情報の設定を行う必要はなく、１つの画像に対するプリント種別の設定指示やプリント枚数の設定指示を行ってＤＰＯＦ情報の設定を行い、その後は、画像を切り替えて確定指示を行うという操作を行うだけで良い。したがって、複数の画像について全て同じ条件でプリントを注文したいような場合でも、ＤＰＯＦ情報の設定を容易且つ素早く行うことができ、使い勝手を従来よりも格段に向上させることができる。
【００４６】
尚、上記では、ＤＰＯＦ情報設定モードの設定時についてしか説明していないが、例えば、撮影モード設定時には、表示部３の右半分にスルー画像を表示させ、表示部３の左半分に撮影モード、シャッタースピード、絞り、及び感度等の撮影条件を表示させる制御を、制御部１０が行うようにしても良い。従来のデジタルカメラは、撮影条件等をスルー画像に重ねて表示しているため、表示部に表示できる撮影条件の量に限りがあった。ところが、本実施形態のデジタルカメラによれば、表示部に表示できる撮影条件の量を多くすることが可能である。
【００４７】
又、デジタルカメラ１００が撮影モードに設定されたときには、表示部３の全体にスルー画像を表示させる制御を制御部１０が行うようにしても良い。このようにすれば、ワイド撮影も可能となり、デジタルカメラ１００の機能を増やすことが可能である。又、同様に、再生モード設定時には、表示部３の右半分に撮影画像を表示させ、表示部３の左半分にその画像の撮影条件を表示させる制御を、制御部１０が行うようにしても良い。又、スルー画像又は撮影画像と撮影条件とを分割表示させるモードと、スルー画像又は撮影画像のみを表示させるモードとを選択可能にしておいても良い。
【００４８】
又、上記では、画像の切り替え指示を左右キー４ａによって行い、ＤＰＯＦ情報設定指示を上下キー４ｂによって行っているが、例えば、画像の切り替え指示を上下キー４ｂによって行い、ＤＰＯＦ情報設定指示を左右キー４ａによって行えるようにしても良い。又、画面の分割の仕方は上記に限らず、例えば、ＤＰＯＦ情報設定用画面と画像とを左右逆にしても良い。又、上記では、プリント種別として標準プリントについてしか説明していないが、分割プリントや一覧プリントについても、表示部３の画面を確認しながら、十字キー４及びメニュー／決定ボタン５の操作を行うことで、ＤＰＯＦ情報の設定が可能である。
【００４９】
又、上記において、ＤＰＯＦ情報設定用画面は一例であり、ＤＰＯＦ情報の設定対象となる画像に対して、左右キー４ｂ及びメニュー／決定ボタン５を操作してＤＰＯＦ情報の設定を行うことができる画面であれば、どんなものであっても良い。
【図面の簡単な説明】
【００５０】
【図１】本発明の実施形態を説明するためのデジタルカメラの概略外観構成を示す斜視図
【図２】図１に示すデジタルカメラの内部構成を示す図
【図３】本発明の実施形態を説明するためのデジタルカメラのＤＰＯＦ情報設定モード時の動作フローを示す図
【図４】本発明の実施形態を説明するためのデジタルカメラのＤＰＯＦ情報設定モード時に表示部に表示される画面例を示す図
【図５】本発明の実施形態を説明するためのデジタルカメラのＤＰＯＦ情報設定モード時に表示部に表示される画面例を示す図
【符号の説明】
【００５１】
１００  デジタルカメラ
３      表示部
８      撮像部
９      画像データ記録部
１０    制御部
１１    ＲＯＭ
１２    操作部
【図１】
2006033666.tif 000003
【図２】
2006033666.tif 000004
【図３】
2006033666.tif 000005
【図４】
2006033666.tif 000006
【図５】
2006033666.tif 000007